(57)【特許請求の範囲】
【請求項１】
ソリッドコアと中間層とカバーとの３層構造からなり、ソリッドコアがシス−１，４−ポリブタジエンを主成分とするエラストマーからなり、コアの直径が３４〜４１ｍｍであり、中間層の厚さが０．２〜３ｍｍ、カバーの厚さが０．２〜３ｍｍであり、ボール表面に総数３６０〜４５０個のディンプルが形成されたスリーピースソリッドゴルフボールにおいて、ＪＩＳ−Ｃ型硬度計での測定で、コアの中心硬度が６０〜７５度、コア表面硬度が７０〜８５度であり、コア表面硬度がコア中心硬度より８〜２０度高硬度であると共に、中間層硬度が８０〜９８度であって、中間層硬度がコア表面硬度より５〜２０度硬く、カバー硬度が７０〜９０度であって、カバー硬度が中間層硬度より５度以上軟らかく、かつディンプル表面占有率が６２〜８５％であることを特徴とするスリーピースソリッドゴルフボール。
【請求項２】
中間層がアイオノマー樹脂を主材としたものである請求項１記載のスリーピースソリッドゴルフボール。
【請求項３】
中間層の比重が０．９以上１．２未満である請求項１又は２記載のスリーピースソリッドゴルフボール。
【請求項４】
カバーが熱可塑性樹脂を主材としたものである請求項１、２又は３記載のスリーピースソリッドゴルフボール。
【請求項５】
カバーの比重が０．９以上１．２未満である請求項１乃至４のいずれか１項記載のスリーピースソリッドゴルフボール。
【請求項６】
ボール表面に形成されたディンプルは、互いに異なる直径を有するディンプルが２種類以上であると共に、下記式（１）
【数１】
0003661812.tif 000009
（但し、式中、Ｒはボール半径、ｎはディンプル種類を示し、（但し、ｎ≧２）、Ｄｍｋは各種ディンプルの径、Ｄｐｋはディンプルの深さ、Ｎｋはディンプルｋの個数（但し、ｋ＝１，２，３，…ｎ）、Ｖoは個々のディンプルの縁部によって囲まれる平面下のディンプル空間体積を上記平面を底面としこの底面からのディンプルの最大深さを高さとする円柱体積で除した値を示す。）
で示されるディンプル総表面積指数（Ｄｓｔ）が４以上である請求項１乃至５のいずれか１項記載のスリーピースソリッドゴルフボール。
【発明の詳細な説明】
【０００１】
【発明の属する技術分野】
本発明は、ソリッドコアと中間層とカバーとの３層構造からなるスリーピースソリッドゴルフボールに関し、更に詳述すると、コアの硬度分布を適正化し、該コアと軟らかいカバーとの間に硬い中間層を設けることにより、ドライバーでのフルショットで飛距離が増大すると共に、５番アイアンやサンドウェッジ等のアプローチショットでのコントロール性が向上したスリーピースソリッドゴルフボールに関する。
【０００２】
【従来の技術及び発明が解決しようとする課題】
従来から、ソリッドコアとこれを被覆するカバーとからなるツーピースソリッドゴルフボールは、飛距離及び耐久性に優れていることから多くのゴルファーに使用されているが、一般的に、糸巻きゴルフボールに比べて打撃時の打感が硬く、球離れの速さからフィーリング、コントロール性に劣るという欠点があった。このため、フィーリング、コントロール性を重視するプロゴルファーや上級プレーヤーは糸巻きゴルフボールを用いる場合が多い。しかしながら、糸巻きゴルボールは飛距離及び耐久性の点でソリッドゴルフボールに劣るものである。
【０００３】
この場合、ツーピースソリッドゴルフボールでは、比較的ロフト角の大きいクラブでフルショットした場合、ボールそのものよりもクラブロフトの効果が大きく、おおよそほとんどのボールにスピンが利き、転がり過ぎることはほとんどない。しかしながら、３０ヤード、５０ヤードといった短い距離のアプローチショットを行う場合にはボールによって転がり、即ちコントロール性に大きな差が生じてしまう。この差が生じる大きな要因は、基本的な構造によるところは少なく、カバー素材によるところが大きいと考えられる。このため、ツーピースソリッドゴルフボールにおいて、アプローチショットでのコントロール性を向上させる目的でカバーを軟らかい素材で構成することも行われているが、カバーが軟らかいと、飛距離が低下してしまうという問題があった。
【０００４】
更に、コントロール性はドライバーでのフルショット時にも必要とされ、５番アイアンやサンドウェッジ等のアプローチショットでのコントロールショットにおけるスピン特性を向上させる目的を重視しすぎる余り、軟らかいカバーを採用すると、大変形領域であるドライバー打撃の際にもスピン量が増加しすぎてボールがフケぎみ（上がり過ぎ）となり、飛距離が低下してしまう。一方、スピン量が少なくなりすぎると、落ち際にボールがドロップし、早期に落下して同様に到達飛距離に不利に働くという問題が生じてしまい、結局ドライバー打撃時にも適度なスピン量が必要となる。
【０００５】
従って、いずれにしてもツーピースソリッドゴルフボールにおいては、ドライバーでのフルショットで適度なスピン量を有して飛び性能に優れ、かつ５番アイアンやサンドウェッジ等でのアプローチショットで高スピン量となって優れたコントロール性を有するという、プレーヤーの相反する要望には十分に応えきれてはいなかった。
【０００６】
本発明は、上記事情に鑑みなされたもので、コアの硬度分布を適正化し、軟らかいカバーとの間に硬い素材からなる中間層を設けることにより、ドライバーでのフルショットで飛距離が増大すると共に、５番アイアンやサンドウェッジ等でのアプローチショットで優れたコントロール性を有するスリーピースソリッドゴルフボールを提供することを目的とする。
【０００７】
【課題を解決するための手段及び発明の実施の形態】
本発明者らは、上記目的を達成するために鋭意検討を重ねた結果、ソリッドコアと中間層とカバーとの３層構造からなるスリーピースソリッドゴルフボールにおいて、コアの硬度分布を適正化し、軟らかいカバーとの間に硬い中間層を形成すると共に、ディンプル表面占有率を一定の値とすることにより、これらの相乗効果からドライバーでのフルショットで飛距離が増大すると共に、５番アイアンやサンドウェッジ等でのアプローチショットで優れたコントロール性を有するゴルフボールが得られることを知見した。
【０００８】
即ち、ソリッドコアと中間層とカバーとの３層構造からなり、ソリッドコアがシス−１，４−ポリブタジエンを主成分とするエラストマーからなり、コアの直径が３４〜４１ｍｍであり、中間層の厚さが０．２〜３ｍｍ、カバーの厚さが０．２〜３ｍｍであり、ボール表面に総数３６０〜４５０個のディンプルが形成されたスリーピースソリッドゴルフボールにおいて、ＪＩＳ−Ｃ型硬度計での測定で、コアの中心硬度が６０〜７５度、コア表面硬度が７０〜８５度であり、コア表面硬度がコア中心硬度より８〜２０度高硬度であると共に、中間層硬度が８０〜９８度であって、中間層硬度がコア表面硬度より５〜２０度硬く、カバー硬度が７０〜９０度であって、カバー硬度が中間層硬度より５度以上軟らかく形成することにより、大変形領域（ドライバーでのフルショット）での変形において、軟らかく変形しやすいカバーと、同様に軟らかいフィーリングを得るための軟らかいコアとの間に硬い中間層を介在させることにより、コアの変形過多によるエネルギーロスを低減させ、ボール全体の軟らかさを保持しつつ、反発性に対する効率的な構造を形成することが可能となりドライバーでのフルショットで飛距離が増大し、軟らかいカバーを用いても適度なスピン量を有し、飛距離の低下を招くことがないと共に、小さな変形領域（アプローチショット）でのスピン特性が向上し優れたコントロール性を発揮できる。しかもこの場合、カバー表面に設けたディンプルの表面占有率を６２〜８５％、ディンプル総表面積指数（Ｄｓｔ）を４以上とし、ディンプルパターンを適正化することにより、ゴルフボールの飛翔特性（飛距離、風に対する強さ）を更に増長させることが可能となり、これらの相乗効果からドライバーでのフルショットで飛距離が増大し、かつ５番アイアンやサンドウェッジ等でのアプローチショットでコントロール性に優れたゴルフボールが得られるというプレーヤーの相反する要望を効果的に達成し得ることを見出し、本発明をなすに至ったものである。
【０００９】
従って、本発明は、
（１）ソリッドコアと中間層とカバーとの３層構造からなり、ソリッドコアがシス−１，４−ポリブタジエンを主成分とするエラストマーからなり、コアの直径が３４〜４１ｍｍであり、中間層の厚さが０．２〜３ｍｍ、カバーの厚さが０．２〜３ｍｍであり、ボール表面に総数３６０〜４５０個のディンプルが形成されたスリーピースソリッドゴルフボールにおいて、ＪＩＳ−Ｃ型硬度計での測定で、コアの中心硬度が６０〜７５度、コア表面硬度が７０〜８５度であり、コア表面硬度がコア中心硬度より８〜２０度高硬度であると共に、中間層硬度が８０〜９８度であって、中間層硬度がコア表面硬度より５〜２０度硬く、カバー硬度が７０〜９０度であって、カバー硬度が中間層硬度より５度以上軟らかく、かつディンプル表面占有率が６２〜８５％であることを特徴とするスリーピースソリッドゴルフボール、及び、
（２）ボール表面に形成されたディンプルの総数が３６０〜４５０個、互いに異なる直径を有するディンプルが２種類以上であると共に、下記式（１）で示されるディンプル総表面積指数（Ｄｓｔ）が４以上である上記スリーピースソリッドゴルフボールを提供する。
【００１０】
【数２】
0003661812.tif 000002
（但し、式中Ｒはボール半径、ｎはディンプル種類を示し（但し、ｎ≧２）、Ｄｍｋは各種ディンプルの径、Ｄｐｋはディンプルの深さ、Ｎｋはディンプルｋの個数（但し、ｋ＝１，２，３，…ｎ）、Ｖoは個々のディンプルの縁部によって囲まれる平面下のディンプル空間体積を上記平面を底面としこの底面からのディンプルの最大深さを高さとする円柱体積で除した値を示す。）
【００１１】
以下、本発明につき更に詳しく説明する。
本発明のスリーピースソリッドゴルフボールは、図１に示すように、硬度分布を適正化したソリッドコア２と軟らかいカバー４との間に硬い中間層３を設けたものである。
【００１２】
本発明のゴルフボールでは、まずソリッドコア２の硬度分布を適正化する。即ち、コア２の表面硬度を、ＪＩＳ−Ｃ型硬度計での測定（以下、ＪＩＳ−Ｃ硬度という）で、７０〜８５度、好ましくは７０〜８３度、更に好ましくは７３〜８０度に形成する。また、コア２の中心硬度が６０〜７５度、好ましくは６０〜７３度、更に好ましくは６３〜６９度に形成する。表面硬度が８５度を超え、中心硬度が７５度を超えると打感が硬くなり、本発明の趣旨に反することとなる。
【００１３】
ここで、コアの表面硬度はコア中心硬度より８〜２０度、特に１０〜１８度硬く形成するものである。硬度差が８度未満では本発明のゴルフボールと表面硬度が同じ場合には打感が硬く感じられるようになり、２０度を超えると本発明のゴルフボールと表面硬度が同じ場合には十分な反発性が得られない場合がある。このようにコアの表面と中心の硬度差を設けた硬度分布とすることにより、インパクト時のボール変形において、中心より８〜２０度硬く形成した表面により、コアの変形過多を効果的に防ぐと共に、歪みエネルギーを効率的に反発エネルギーに置換できる。また更に表面より軟らかい中心部により良好なフィーリングを得ることができる。
【００１４】
上記ソリッドコアの硬度分布は、上述したようにコア表面を中心より８〜２０度硬く形成すれば特に制限されないが、コア表面から中心に向かって漸次軟らかくなるように形成することが効率的なエネルギー伝搬の点から好ましい。
【００１５】
なお、上記ソリッドコアの直径は３４〜４１ｍｍ、特に３４．５〜４０ｍｍであることが好ましく、コア全体の硬度、重量、比重等は、特に制限されず本発明の目的を達成し得る範囲で適宜調整することができるが、通常はコア全体の硬度は１００ｋｇ荷重負荷時のたわみ量で２．５〜４．５ｍｍ、特に２．８〜４ｍｍ、重量は２０〜４０ｇ、特に２３〜３７ｇとすることができる。
【００１６】
本発明においてソリッドコアを形成するためのコア用組成物としては、特に制限されず、通常ソリッドコアの形成に用いられる基材ゴム、架橋剤、共架橋剤、不活性充填剤等を用いて形成することができる。この場合、基材ゴムとしては従来からソリッドゴルフボールに用いられている天然ゴム及び／又は合成ゴムを使用することができるが、本発明においては、シス構造を少なくとも４０％以上有する１，４−ポリブタジエンが特に好ましい。この場合、所望により該ポリブタジエンに天然ゴム、ポリイソプレンゴム、スチレンブタジエンゴム等を適宜配合してもよい。また、架橋剤としてはジクミルパーオキサイドやジ−ｔ−ブチルパーオキサイド、１，１−ビス（ｔ−ブチルパーオキシ）３，３，５−トリメチルシクロヘキサンのような有機過酸化物等が例示されるが、特に好ましくはジクミルパーオキサイドと１，１−ビス（ｔ−ブチルパーオキシ）３，３，５−トリメチルシクロヘキサンのブレンド物である。この場合において、ソリッドコアが上記硬度分布を持つように形成するには、架橋剤としてジクミルパーオキサイドと１，１−ビス（ｔ−ブチルパーオキシ）３，３，５−トリメチルシクロヘキサンをブレンドして用い、１６０℃で２０分間程度加硫する方法等が採用できる。また、共架橋剤としては特に制限されず、不飽和脂肪酸の金属塩、特に、炭素原子数３〜８の不飽和脂肪酸（例えばアクリル酸、メタクリル酸等）の亜鉛塩やマグネシウム塩が例示されるが、アクリル酸亜鉛が特に好適である。なお、架橋剤の配合量は適宜設定され、通常は基材ゴム成分１００重量部に対して０．５〜３重量部程度とされる。更に、不活性充填剤としては酸化亜鉛、硫酸バリウム、シリカ、炭酸カルシウム及び炭酸亜鉛等が例示されるが、酸化亜鉛、硫酸バリウムが一般的であり、その配合量はコアとカバーの比重、ボールの重量規格等に左右され、特に制限されないが、通常は基材ゴム１００重量部に対して４０重量部以下である。なお、本発明においては上記架橋剤や酸化亜鉛、硫酸バリウム等の充填剤の配合割合を適宜調整することにより、コア全体の硬度及び重量を最適値に調整することができる。
【００１７】
上記成分を配合して得られるコア用組成物は通常の混練機、例えばバンバリーミキサーやロール等を用いて混練し、コア用金型で圧縮又は射出成形し、成形体を上述した温度条件で加熱硬化して最適の硬度分布を持つ本発明のソリッドコアを調製することができる。
【００１８】
コア２を被覆する中間層３は、ＪＩＳ−Ｃ硬度で８０〜９８度に形成するものである。この場合、中間層硬度はコア表面硬度より５度以上、特に７度以上硬く、また更にコア表面硬度より２０度以下、特に１８度以下の硬度に形成することが好ましい。硬度差が５度未満では十分な反発性を得ることができなくなる場合があり、一方、２０度を超えると打感が鈍くなり、硬く感じる様になる等本発明の趣旨に沿わなくなる。このように中間層硬度がコア表面硬度より硬く形成することにより、反発性を保持することができる。
【００１９】
また、中間層の厚さ、比重は、本発明の目的を達成し得る範囲で適宜調整することができ、厚さは０．２〜３ｍｍ、特に０．７〜２．３ｍｍ、比重は０．９以上１．２未満、特に０．９４〜１．１５であることが好ましい。
【００２０】
上記中間層２は、軟らかく形成したソリッドコアの反発性の低下を補うためのもので、上述した硬度範囲内で、反発性に優れた材質で形成され、具体的には後述の表２に挙げたようなアイオノマー樹脂をブレンドしたもの等が挙げられる。なお、この中間層には、上記アイオノマー樹脂に加えて重量調整剤として酸化亜鉛、硫酸バリウム等の無機充填剤や着色のために二酸化チタン等の添加剤を添加することができる。
【００２１】
中間層３を被覆するカバー４は、中間層より５度以上軟らかく形成し、特にアプローチ領域でのスピン特性を重視して、ＪＩＳ−Ｃ硬度が７０〜９０度、好ましくは７５〜８７度に形成する。カバーのＪＩＳ−Ｃ硬度が９０度を超えるとアプローチ領域でのスピン特性が劣化し、コントロール性を重視するプロやトップアマプレーヤーが試合等で使用し得なくなる。一方、７０度未満ではボールの反発性が低下する場合がある。また、カバーの厚さ、比重は、本発明の目的を達成し得る範囲で適宜調整することができ、厚さは０．２〜３ｍｍ、特に０．７〜２．３ｍｍ、比重は０．９以上１．２未満、特に０．９３〜１．１５であることが好ましい。なお、中間層とカバーとを合計した厚みは２〜４．５ｍｍ、特に２．２〜４．２ｍｍであることが好ましい。
【００２２】
上記カバー組成としては特に制限されず、ゴルフボールのカバー材として好適な性能を有する公知の材料で形成することができ、例えばアイオノマー樹脂、ポリエステルエラストマー、ポリアミドエラストマー等を単独で、或いはこれらの樹脂にウレタン系樹脂、エチレン−酢酸ビニル共重合体等を混合した樹脂混合物を用いることができるが、本発明においては特に熱可塑性樹脂を主材に用いることが好適である。更に、上記カバー組成物には必要に応じてＵＶ吸収剤、酸化防止剤、金属石鹸等の分散助剤などを添加することもできる。なお、カバーを被覆する方法は特に制限されず、通常は予め半球状に成形した２枚のカバーでコアを包み加熱加圧成形するか、カバー用組成物を射出成形してコアを包みこんでもよい。
【００２３】
本発明のスリーピースソリッドゴルフボールは、通常のゴルフボールと同様にカバー表面に多数のディンプルを形成してなるものである。ここで、本発明のゴルフボールは、ゴルフボールを球状とみなして仮想球面とした際、個々のディンプルの縁部によって囲まれる仮想球面の表面積が仮想球面の全表面積に対する割合、即ち、ディンプル表面占有率が６２〜８５％になるようにディンプルを設けたものである。ディンプル表面占有率が６２％未満では上述したような優れた飛翔特性、特に飛距離の増大が得られなくなる。また、ディンプル個数は３６０〜４５０個、好ましくは３７０〜４４０個である。ディンプルは直径、深さ等が相違する２種又はそれ以上の多種類のものとすることができるが、直径は通常２．２〜４．５ｍｍ、深さ０．１２〜０．２３ｍｍの範囲であることが好ましい。なお、ディンプルの配列態様としては、特に制限されず、正８面体配列、正１２面配列、正２０面体配列等の公知の配列を採用することができ、更にディンプルの配列によりボール表面に形成される模様もスクウェアー形、ヘキサゴン形、ペンタゴン形、トライアングル形等の種々の模様とすることができる。
【００２４】
上記ディンプルは、各ディンプルの縁部によって囲まれる平面下のディンプル空間体積を、上記平面を底面としかつこの底面からの各ディンプルの最大深さを高さとする円柱体積で除した値Ｖ0を０．３９〜０．６、特に０．４１〜０．５８になるように形成することが好ましい。
【００２５】
ここで、ディンプル形状につき更に詳しく説明すると、ディンプル平面形状が円形状の場合、図２に示したようにディンプル５上にボール直径の仮想球面６を設定すると共に、ボール直径より０．１６ｍｍ小さい直径の球面７を設定し、この球面７の円周とディンプル５との交点８を求め、該交点８における接線９と上記仮想球面６との交点１０の連なりをディンプル縁部１１とする。この場合、上述したディンプル縁部１１の設定は、通常ディンプル５の縁部は丸みを帯びているため、このような設定がないとディンプル縁部の正確な位置が分からないためである。そして、図３、４に示したように上記縁部１１によって囲まれる平面（円：直径Ｄm）１２下のディンプル空間１３の体積Ｖpを求める。一方、上記平面１２を底面とし、この平面１２からのディンプル最大深さＤpを高さとする円柱１４の体積ＶQに対するディンプル空間体積Ｖpの比Ｖ0を算出する。
【００２６】
【数３】
0003661812.tif 000003
【００２７】
なお、ディンプルの平面形状が円形状でない場合は、このディンプルの最大直径（若しくは平面最大長さ）を求め、ディンプル平面がこの最大直径（最大長さ）を有する円形状であると仮定し、以下上記と同様にしてＶ0を算出する。
【００２８】
更に、本発明のゴルフボールは、ボール表面に形成されるディンプル種類数をｎ（但し、ｎ≧２、好ましくは２〜６、より好ましくは３〜５）とし、各種ディンプルの径をＤｍｋ、最大深さをＤｐｋ、個数をＮｋとした場合（但し、ｋ＝１，２，３，…ｎ）、下記式（１）で示されるディンプル総表面積指標（Ｄｓｔ）を４以上、特に４〜８に形成することが好ましい。
【００２９】
【数４】
0003661812.tif 000004
【００３０】
ここで、式中Ｒはボール半径、Ｖ0は上記規定値Ｖ0と同義であり、Ｎｋはディンプルｋの個数である。このディンプル総表面積指標（Ｄｓｔ）は種々のディンプルパラメータを適正化し、上記本発明のゴルフボールに更なる飛距離を与えることができるもので、上記Ｄｓｔが４以上であればゴルフボールの飛翔特性（飛距離、風に対する強さ）が更に増長される。
【００３１】
本発明のゴルフボールは、以上の構成を有するが、ボール重量、直径等のボール性状はゴルフ規則に従い適宜設定することができる。
【００３２】
【発明の効果】
本発明のスリーピースソリッドゴルフボールは、ドライバーでのフルショットで飛距離が増大すると共に、５番アイアンやサンドウェッジ等でのアプローチショットで優れたコントロール性を有するものである。
【００３３】
【実施例】
以下、実施例と比較例を示し、本発明を具体的に説明するが、本発明は下記実施例に制限されるものではない。
【００３４】
［実施例、比較例］
表１に示した配合組成のゴム組成物を混練し、モールド内で表１に示した加硫条件で加硫成型することによりＮｏ．１〜６までのソリッドコアを作成した。
【００３５】
【表１】
0003661812.tif 000005
【００３６】
次に、表２に示した中間層・カバー材の樹脂組成物を混練し、表４に示した処方でソリッドコア又は中間層に射出成型により被覆し、得られた成形品のカバー表面に表３に示した態様の３種類のディンプルの一つを形成し、実施例１〜５、比較例１〜４のスリーピースソリッドゴルフボールを得た。なお、コアのＪＩＳ−Ｃ硬度はコアを半分に切断し、その中心部の硬度（中心硬度）と、コア表面（球面）硬度（表面硬度）を測定した（測定値は５点の平均値である）。
【００３７】
【表２】
0003661812.tif 000006
【００３８】
【表３】
0003661812.tif 000007
【００３９】
得られた各ゴルフボールについて、下記方法により、飛び性能、スピン特性、打感、スピンコントロール性、耐久性を評価した。結果を表４に併記する。
飛び性能
ツルー・テンパー（Ｔｒｕｅ  Ｔｅｍｐｅｒ）社製の打撃マシンを用い、クラブはドライバー（＃Ｗ１）を用いてヘッドスピード４５ｍ／ｓｅｃ（ＨＳ４５）と３５ｍ／ｓｅｃ（ＨＳ３５）でそれぞれ実打した時のスピン、キャリー、トータル距離を測定した。
打感
ヘッドスピード４５ｍ／ｓｅｃ（ＨＳ４５）と３５ｍ／ｓｅｃ（ＨＳ３５）のプレーヤー５名により実打してもらい、下記基準で判定した。
○：軟らかい    △：普通    ×：硬い
スピンコントロール性
３名のプロゴルファーによる実打で評価し、５番アイアン（＃Ｉ５）によるフック・スライス等のインテンショナル性及びグリーン上での止まり、サンドウエッジ（＃ＳＷ）による３０ヤード及び８０ヤードのスピン性（グリーン上での止まり・インパクトの球のつかまり易さ）等を総合評価し、下記基準で判定した。○：非常に優れる    △：普通  ×：劣る
耐久性
連続打撃耐久性及びカット耐久性を合わせて総合評価し、下記基準で判定した。
○：非常に優れる    △：普通    ×：劣る
【００４０】
【表４】
0003661812.tif 000008
【００４１】
表４の結果から、比較例１のボールはディンプル種類以外は実施例１と同様のものであるが、表面占有率が６１％と小さいために飛距離が十分に得られないものである。比較例２はカバーが中間層に比べて硬過ぎるために打感、スピンコントロール性、耐久性が劣るものである。比較例３はコアの表面硬度とコア中心硬度が硬過ぎ、中間層とコア表面との硬度差が少ないために飛距離がでず、打感も悪くなるものである。比較例４はカバーが中間層より硬く、中間層がコアより十分に硬く形成されていないために飛距離がでず、打感、スピンコントロール性に劣るものである。
【００４２】
これに対して、本発明のゴルフボールは、ドライバーでのフルショットで適度なスピン量となり、飛距離が増大すると共に、優れたスピンコントロール性を有し、打感、及び耐久性のいずれにも優れていることが確認できた。
【図面の簡単な説明】
【図１】本発明のスリーピースソリッドゴルフボールの一実施例を示す概略断面図である。
【図２】ディンプルＶ0の計算方法を説明するための断面図である。
【図３】同斜視図である。
【図４】同断面図である。
【符号の説明】
１  ゴルフボール
２  ソリッドコア
３  中間層
４  カバー
５  ディンプル
６  仮想球面
７  球面
８  交点
９  接線
１０  交点
１１  ディンプル縁部
１２  平面
１３  ディンプル空間
１４  円柱
【図１】
0003661812.tif 000010
【図２】
0003661812.tif 000011
【図３】
0003661812.tif 000012
【図４】
0003661812.tif 000013